(57)【特許請求の範囲】
【請求項１】
硬化を引き起こす特定の光線の作用により感光性物質（３）を層ごとに又は連続的に硬化することで３次元対象物（２）を製造するためのステレオリソグラフィ装置であって、
該ステレオリソグラフィ装置は、
支持装置（７）と、
硬化を引き起こす光線（８０）を発生させるための光源（８）と、
前記支持装置上に位置決め可能で取り外し可能な少なくとも１つのカートリッジ装置（５，６）とを含み、前記カートリッジ装置（５，６）は、シェル（１４）により包囲された内部空間を有し、前記シェルの少なくとも１つの部分領域が、硬化を引き起こす前記光線に対して透過性に構成され、
前記カートリッジ装置（５，６，１０，２０，３０，４０）の前記シェル（１４，１４１，１４２，１４３，１４４，２４，３４，４４）は、変形可能であり、前記シェルにより包囲された前記内部空間（１４０，２４０，３４０，４４０）は、少なくとも部分的に受容空間（４）により構成される容積部を有し、前記受容空間（４）内には、照射及び硬化過程の少なくとも一期間の間のために所定量の感光性物質（３）が受容可能であり、前記光線が到達可能であること、
前記シェルは、底部と、上部と、これらの底部と上部をつなぐ外殻部とを有すること、及び、
前記シェルの前記底部、及び／又は前記外殻部は、感光性物質を供給又は排出するための、及び／又は所定の溶剤を前記内部空間へ供給又は前記内部空間から排出するための、少なくとも１つの開口部を形成するために、少なくとも１つの穴開け可能な領域を有すること
を特徴とするステレオリソグラフィ装置。
【請求項２】
前記カートリッジ装置（５，６）は、前記支持装置（７）に取り外し可能に固定可能であること
を特徴とする、請求項１に記載のステレオリソグラフィ装置。
【請求項３】
前記シェルの変形可能な領域は、一部材式で構成されていること
を特徴とする、請求項１又は２に記載のステレオリソグラフィ装置。
【請求項４】
前記内部空間（１４０）の前記容積部は、大部分が、又は全部が、前記受容空間（４）により構成されていること
を特徴とする、請求項１〜３のいずれか一項に記載のステレオリソグラフィ装置。
【請求項５】
前記シェルにより包囲された前記内部空間（１４０）は、前記シェルの変形中に一定の容積を有すること
を特徴とする、請求項１〜４のいずれか一項に記載のステレオリソグラフィ装置。
【請求項６】
前記シェルは、前記カートリッジ装置の高さに関して可逆的な圧縮が可能であるように変形可能であること
を特徴とする、請求項１〜５のいずれか一項に記載のステレオリソグラフィ装置。
【請求項７】
前記シェル（１４，２４，３４，１４１，１４２，１４３，１４４）は、それ自体が折り畳み可能であり且つ少なくとも１つの基準面（４１，４２）を有する幾何学形状を有すること
を特徴とする、請求項１〜６のいずれか一項に記載のステレオリソグラフィ装置。
【請求項８】
前記シェルの前記外殻部は、変形可能であること
を特徴とする、請求項１〜７のいずれか一項に記載のステレオリソグラフィ装置。
【請求項９】
前記少なくとも１つの穴開け可能な領域は、弱化された領域であること
を特徴とする、請求項１〜８のいずれか一項に記載のステレオリソグラフィ装置。
【請求項１０】
前記外殻部、及び／又は前記底部は、ガス又は混合ガス（１９）に対し、或いは酸素又は空気に対し、透過性で構成されていること
を特徴とする、請求項１〜９のいずれか一項に記載のステレオリソグラフィ装置。
【請求項１１】
前記シェルは、上面部及び／又は側方において、閉鎖可能な開口部を有し、該開口部を通って感光性物質が前記内部空間内へ供給可能であり前記内部空間から排出可能であること
を特徴とする、請求項１〜１０のいずれか一項に記載のステレオリソグラフィ装置。
【請求項１２】
前記シェルは、前記開口部を密封するための密封要素を有すること
を特徴とする、請求項１１に記載のステレオリソグラフィ装置。
【請求項１３】
前記開口部は、閉鎖部材（１１，２１，２００，３００，４００，５００）により閉鎖可能であり、該閉鎖部材は、感光性物質の硬化された層の支持体として構成されていること
を特徴とする、請求項１１又は１２に記載のステレオリソグラフィ装置。
【請求項１４】
前記カートリッジ装置は、前記内部空間内で可動なコンポーネントを有し、該コンポーネントは、前記カートリッジ装置内で、幾何学形状的な形式、機械的な形式、及び／又は磁気的な形式の案内部を介して案内されていること
を特徴とする、請求項１〜１３のいずれか一項に記載のステレオリソグラフィ装置。
【請求項１５】
前記カートリッジ装置は、前記内部空間を上方に向かって境界付けて閉じる閉鎖部材（２００，３００，４００，５００，１１，２１）を有し、該閉鎖部材は、交換可能であること
を特徴とする、請求項１〜１４のいずれか一項に記載のステレオリソグラフィ装置。
【請求項１６】
前記閉鎖部材は、前記内部空間に指向する面に形成されている幾何学形状的な穴部を有すること
を特徴とする、請求項１５に記載のステレオリソグラフィ装置。
【請求項１７】
前記閉鎖部材は、複数部材式で構成されており、１つの感光性物質又は複数の感光性物質が保管可能である少なくとも１つの領域（１０１）を有すること
を特徴とする、請求項１５又は１６に記載のステレオリソグラフィ装置。
【請求項１８】
感光性物質の容器（１０１，３１２，４０１，４０４）を受容するための領域が設けられていること
を特徴とする、請求項１７に記載のステレオリソグラフィ装置。
【請求項１９】
前記閉鎖部材は、少なくとも１つの組み込まれたピストン（３０１）を有し、該ピストンのストローク運動により感光性物質の流出が配量可能であること
を特徴とする、請求項１５〜１８のいずれか一項に記載のステレオリソグラフィ装置。
【請求項２０】
前記ピストン（３０１）は、前記閉鎖部材内にある容器（３１２）の穴開け又は開放のための装置（３０５）を有すること
を特徴とする、請求項１９に記載のステレオリソグラフィ装置。
【請求項２１】
前記ピストンは、溶剤、及び／又は、ガス又は混合ガス、或いは窒素又は空気を供給するための装置を有すること
を特徴とする、請求項１９又は２０に記載のステレオリソグラフィ装置。
【請求項２２】
前記カートリッジ装置は、酸素に対して透過性であり且つ少なくとも一部材式で構成された底部を含むこと
を特徴とする、請求項１〜２１のいずれか一項に記載のステレオリソグラフィ装置。
【請求項２３】
製造された３次元対象物の取り外しを容易にする振動を発生させるための装置が設けられていること
を特徴とする、請求項１〜２２のいずれか一項に記載のステレオリソグラフィ装置。
【請求項２４】
複数のカートリッジ装置（５，６）が該ステレオリソグラフィ装置へ取り付け可能であること
を特徴とする、請求項１〜２３のいずれか一項に記載のステレオリソグラフィ装置。
【請求項２５】
ステレオリソグラフィ装置において使用するためのカートリッジ装置（５，６，１０，２０，３０，４０）であって、
該カートリッジ装置は、シェル（１４，１４１，１４２，１４３，１４４，２４，３４，４４）により包囲された内部空間（１４０，２４０，３４０，４４０）を有し、該カートリッジ装置の前記シェルは、変形可能であり、前記内部空間（１４０，２４０，３４０，４４０）は、少なくとも部分的に受容空間（４）により構成される容積部を有し、前記受容空間内には、照射及び硬化過程の少なくとも一期間の間のために所定量の感光性物質（３）が受容可能であり、感光性物質の硬化を引き起こす光線（８０）が到達可能であること、
前記シェルは、底部と、上部と、これらの底部と上部をつなぐ外殻部とを有すること、及び、
前記シェルの前記底部、及び／又は前記外殻部は、感光性物質を供給又は排出するための、及び／又は所定の溶剤を前記内部空間へ供給又は前記内部空間から排出するための、少なくとも１つの開口部を形成するために、少なくとも１つの穴開け可能な領域を有すること
を特徴とするカートリッジ装置。
【請求項２６】
該カートリッジ装置は、ステレオリソグラフィ装置へ取り外し可能に取り付け可能であること
を特徴とする、請求項２５に記載のカートリッジ装置。
【請求項２７】
情報支持体（５０２，５０３）が設けられており、該情報支持体は、感光性物質に関する情報、及び／又は３次元対象物の製造の過程のプロセスパラメータを保持すること
を特徴とする、請求項２５又は２６に記載のカートリッジ装置。
【発明の詳細な説明】
【技術分野】
【０００１】
本発明は、硬化を引き起こす特定の光線の作用により感光性物質を層ごとに又は連続的に硬化することで３次元対象物を製造するためのステレオリソグラフィ装置に関し、当該装置は、支持装置と、硬化を引き起こす光線を発生させるための光線源と、支持装置上に位置決め可能で取り外し可能なカートリッジ装置とを含んでいる。
【背景技術】
【０００２】
この種の装置は、よく知られている。ステレオリソグラフィ装置では、層ないし層情報を層ごとに又は連続的に並べることにより、感光性物質から３次元物体が生成される。本発明は、この種の装置に取り付け可能であり製造すべき対象物を包囲する、改善されたカートリッジシステムの使用に係るものである。
【０００３】
ステレオリソグラフィとの概念は、例えばデジタルマスクにより又は移動式のレーザ光線により生成可能である幾何学形状的な層情報を層ごとに生成することで、予め設定可能な所望の形状を有する３次元物体（「対象物」ないし「目標物」）を生成するために、光による照射で硬化可能（固化可能）な感光性物質が使用され、多くの場合、液状のモノマー配合物が使用されるという製造プロセスを表している。ステレオリソグラフィの基本的な原理は、ラピッドプロトタイピング、３Ｄプリントなどの概念としても知られている。
【０００４】
ステレオリソグラフィ過程のためには、幾何学形状的な層情報を感光性物質へ投射し、この感光性物質を層ごとに又は連続的に底部上で又は他の定義された基準面上で硬化（「現像」）するために、制御可能なレーザの他、ピクセルベースの表示ディスプレイや、例えば制御可能なマイクロミラー（いわゆるＭＥＭＳチップ又はＤＬＰチップ）と関連して、インコヒーレント光源も利用されることが可能である。層情報は、特にピクセルベースであることが可能である。基準面（基準平面とも称される）は、その上で感光性物質の１つの層の硬化が行われる定義面を意味し、この定義面は、底部内面部又は蓋部内面部の表面、又は他の適切に定義された面としてよく、適用に応じ、適切な硬さの粘稠度、適切な柔らかさの粘稠度、又は適切な液状の粘稠度をもつことが可能である。硬化された層を基準面から分離するために、基準面は、最初に、即ち生成プロセスの最初のステップの前に、支持体上へ（例えば重合プロセスにより付着されて）被覆形成され、該支持体は、基準面の上面部（例えばカートリッジ底部）と一致することのできる焦平面に対して相対運動を行える状態にある。次の方法ステップにおいて、感光性物質の新しい材料が、最後に生成された層と基準面との間に流入可能となり、このことは、例えば簡単なストローク運動により行うことが可能である。それにより後から流入した感光性物質も露光により硬化可能である。これらの方法ステップは、構成すべき対象物が個々の投影された層情報に従って構造化完了となるに至るまで繰り返される。
【０００５】
これらの方法において最も大きな問題は、とりわけ、装置自体の内部における感光性物質の効果的で調節可能な貯蔵ないし保管、基準面から個々の層の損傷のない分離、基準面に対する生成された層の支持体ないし生成された対象物の支持体の相対運動の効果的な制御、装置のできるだけ簡単な操作性、並びに装置内への新しい感光性材料の供給である。
【０００６】
従来技術から、様々な解決策が知られており、これらの解決策は、多くの場合、開口した桶状の容器を感光性物質のために設けている。カートリッジについても説明されているが、それらのカートリッジは、極めて複雑で、堅固で（剛性が高く）、費用のかかる容器である。
【０００７】
例えば下記特許文献１は、底部プレートと結合されており、非透明部分により下方に向かって緊張されたフィルム（フォイル）が設けられている容器を記載している。このフィルムは、層の持ち上げの際に変形されることができ、それにより比較的ソフトで損傷のない引き離しを可能とする。当該容器は、とりわけ、底部プレートと、容器内へ突出する締付部（ないし緊張部）と、支持体自体のような様々な他の部材を含み、複雑な構造体を表わす、組み立て式の複合構成グループである。
【０００８】
他の解決策（下記特許文献２、下記特許文献３を参照）は、閉じたカートリッジの代わりに、同様に引き離し力を軽減するための変形可能なフィルムを含んだ、開口した桶状の幾何学形状を使用している。
【先行技術文献】
【特許文献】
【０００９】
【特許文献１】DE 10 2014 215 213 A1
【特許文献２】DE 101 19 817 A1
【特許文献３】JP H06 246838 A
【発明の概要】
【発明が解決しようとする課題】
【００１０】
既知の解決策は、カートリッジシステムと桶部材自体が極めて複雑な構造であるという欠点と、並びに、例えば桶部材の洗浄、機械内への桶部材の挿入、正確な充填量の確定に関する感光性物質の操作性の欠点とを有し、更に桶部材システムにおいてオープンな液体レベル（液面）を有し、補充中ないし入れ替え中の感光性物質の直接的な接触ないし装置自体の汚染という危険性を有する。多大な欠点は、感光性材料で満たされた桶部材を取り付ける際、及び／又は桶部材を取り外す際にも、複雑な締付機構が操作されなくてはならず、又は桶部材が保持装置内へ押し込まれなくてはならないことにより発生する。生成された構成品を取り外す際にも、装置の汚染の問題、及び／又は操作オペレータの汚染の問題、特に他の感光性モノマーに交換する際に洗浄されなくてはならない個々の装置構成部材又は構成グループの汚染の問題があり、そのような洗浄は、困難で時間のかかるものである。更なる欠点は、従来の解決策が、所定の雰囲気下ないし所定の雰囲気条件下で作動することを可能としないことにある。また生成された対象物の洗浄も問題であり、それは、機械から対象物の支持体を取り外す際には、対象物を濡らしている硬化されていないモノマーが、起こり得る利用者の汚染とは別に、機械並びに機械の設置個所を汚染する可能性があるためである。更に感光性物質は、オープンな状態にある液体レベルにより、ある程度の老化作用を被り、この老化作用は、化学的な特性を変化させ、それにより例えば要求される生体適合性（バイオコンパティビリティ）のような、構成される対象物の特性に対して不利に作用する。
【００１１】
ここで提示される発明は、上記の欠点を解消するステレオリソグラフィ装置ないしステレオリソグラフィ装置のためのカートリッジ装置を創作すると共に、簡素化され、故障がなく、経済的であり、好ましくは連続的で、容易に記録されるべき、３次元対象物の生成（構造化）を達成することである。
【課題を解決するための手段】
【００１２】
前記課題は、カートリッジ装置（カートリッジシステム）が、シェルにより包囲された内部空間を有し、この際、シェルの少なくとも１つの部分領域が、硬化を引き起こす光線に対して少なくとも部分的に透過性であり、この際、本発明によりカートリッジ装置のシェルは、変形可能であり、シェルにより包囲された内部空間は、感光性物質のための受容空間により少なくとも部分的に構成される容積部を有する、冒頭に記載した形式のステレオリソグラフィ装置により解決される。この際「受容空間」とは、その中に照射及び硬化過程の少なくとも一期間の間、所定量の感光性物質が受容可能であり、光線が到達可能（硬化を引き起こす光線により照射可能）であるという空間として理解される。
即ち本発明の第１の視点により、
硬化を引き起こす特定の光線の作用により感光性物質を層ごとに又は連続的に硬化することで３次元対象物を製造するためのステレオリソグラフィ装置であって、
該ステレオリソグラフィ装置は、
支持装置と、
硬化を引き起こす光線を発生させるための光源と、
前記支持装置上に位置決め可能で取り外し可能な少なくとも１つのカートリッジ装置とを含み、前記カートリッジ装置は、シェルにより包囲された内部空間を有し、前記シェルの少なくとも１つの部分領域が、硬化を引き起こす前記光線に対して透過性に構成され、
前記カートリッジ装置の前記シェルは、変形可能であり、前記シェルにより包囲された前記内部空間は、少なくとも部分的に受容空間により構成される容積部を有し、前記受容空間内には、照射及び硬化過程の少なくとも一期間の間のために所定量の感光性物質が受容可能であり、前記光線が到達可能であること、
前記シェルは、底部と、上部と、これらの底部と上部をつなぐ外殻部とを有すること、及び、
前記シェルの前記底部、及び／又は前記外殻部は、感光性物質を供給又は排出するための、及び／又は所定の溶剤を前記内部空間へ供給又は前記内部空間から排出するための、少なくとも１つの開口部を形成するために、少なくとも１つの穴開け可能な領域を有すること
を特徴とするステレオリソグラフィ装置が提供される。
【００１３】
また上記の課題は、上記の形式のステレオリソグラフィ装置において使用するためのカートリッジ装置（カートリッジシステム）によっても解決され、この際、カートリッジ装置は、シェルにより包囲された内部空間を有し、この際、カートリッジ装置のシェルは、変形可能であり、更に内部空間は、少なくとも部分的に受容空間により構成される容積部を有し、受容空間内には、照射及び硬化過程の少なくとも一期間の間、所定量の感光性物質が受容可能であり、感光性物質の硬化を引き起こす光線が到達可能（硬化を引き起こす光線により照射可能）である。
即ち本発明の第２の視点により、
ステレオリソグラフィ装置において使用するためのカートリッジ装置であって、
該カートリッジ装置は、シェルにより包囲された内部空間を有し、該カートリッジ装置の前記シェルは、変形可能であり、前記内部空間は、少なくとも部分的に受容空間により構成される容積部を有し、前記受容空間内には、照射及び硬化過程の少なくとも一期間の間のために所定量の感光性物質が受容可能であり、感光性物質の硬化を引き起こす光線が到達可能であること、
前記シェルは、底部と、上部と、これらの底部と上部をつなぐ外殻部とを有すること、及び、
前記シェルの前記底部、及び／又は前記外殻部は、感光性物質を供給又は排出するための、及び／又は所定の溶剤を前記内部空間へ供給又は前記内部空間から排出するための、少なくとも１つの開口部を形成するために、少なくとも１つの穴開け可能な領域を有すること
を特徴とするカートリッジ装置が提供される。
なお、特許請求の範囲に付記した図面参照符号は専ら発明の理解を助けるためのものに過ぎず、本発明を図示の態様に限定することは意図していない。
【発明を実施するための形態】
【００１４】
以下、発明を実施するための形態について説明する。
本発明において少なくとも下記の形態が可能である。
（形態１）
硬化を引き起こす特定の光線の作用により感光性物質を層ごとに又は連続的に硬化することで３次元対象物を製造するためのステレオリソグラフィ装置であって、
該ステレオリソグラフィ装置は、
支持装置と、
硬化を引き起こす光線を発生させるための光源と、
前記支持装置上に位置決め可能で取り外し可能な少なくとも１つのカートリッジ装置とを含み、前記カートリッジ装置は、シェルにより包囲された内部空間を有し、前記シェルの少なくとも１つの部分領域が、硬化を引き起こす前記光線に対して透過性に構成され、
前記カートリッジ装置の前記シェルは、変形可能であり、前記シェルにより包囲された前記内部空間は、少なくとも部分的に受容空間により構成される容積部を有し、前記受容空間内には、照射及び硬化過程の少なくとも一期間の間、所定量の感光性物質が受容可能であり、前記光線が到達可能であること。
（形態２）
前記カートリッジ装置は、前記支持装置に取り外し可能に固定可能であること
を特徴とする、好ましくは形態１に記載のステレオリソグラフィ装置。
（形態３）
前記シェルの変形可能な領域は、一部材式で構成されており、好ましくは柔軟な材料から構成されていること
を特徴とする、好ましくは形態１又は２に記載のステレオリソグラフィ装置。
（形態４）
前記内部空間の前記容積部は、大部分が、好ましくは全部が、前記受容空間により構成されていること
を特徴とする、好ましくは形態１〜３のいずれか一に記載のステレオリソグラフィ装置。
（形態５）
前記シェルにより包囲された前記内部空間は、前記シェルの変形中に実質的に一定の容積を有すること
を特徴とする、好ましくは形態１〜４のいずれか一に記載のステレオリソグラフィ装置。
（形態６）
前記シェルは、前記カートリッジ装置の高さに関して可逆的な圧縮が可能であるように変形可能であること
を特徴とする、好ましくは形態１〜５のいずれか一に記載のステレオリソグラフィ装置。
（形態７）
前記シェルは、それ自体が折り畳み可能であり且つ少なくとも１つの基準面（４１，４２）を有する幾何学形状を有すること
を特徴とする、好ましくは形態１〜６のいずれか一に記載のステレオリソグラフィ装置。
（形態８）
前記シェルは、底部と、上部と、これらの底部と上部をつなぐ外殻部とを有し、好ましくは  該外殻部が変形可能であること
を特徴とする、好ましくは形態１〜７のいずれか一に記載のステレオリソグラフィ装置。
（形態９）
前記シェルの前記底部、及び／又は前記外殻部は、感光性物質を供給又は排出するための、及び／又は所定の溶剤を前記内部空間へ供給又は前記内部空間から排出するための、少なくとも１つの開口部を形成するために、少なくとも１つの穴開け可能な領域、好ましくは弱化された領域、を有すること
を特徴とする、好ましくは形態８に記載のステレオリソグラフィ装置。
（形態１０）
前記外殻部、及び／又は前記底部は、ガス又は混合ガスに対し、特に酸素又は空気に対し、透過性で構成されていること
を特徴とする、好ましくは形態８又は９に記載のステレオリソグラフィ装置。
（形態１１）
前記シェルは、上面部及び／又は側方において、閉鎖可能な開口部を有し、該開口部を通って感光性物質が前記内部空間内へ供給可能であり前記内部空間から排出可能であること
を特徴とする、好ましくは形態１〜１０のいずれか一に記載のステレオリソグラフィ装置。
（形態１２）
前記シェルは、前記開口部を密封するための密封要素を有すること
を特徴とする、好ましくは形態１１に記載のステレオリソグラフィ装置。
（形態１３）
前記開口部は、好ましくは一部材式で構成されている閉鎖要素により閉鎖可能であり、該閉鎖要素は、好ましくは、感光性物質の硬化された層の支持体として構成されていること
を特徴とする、好ましくは形態１１又は１２に記載のステレオリソグラフィ装置。
（形態１４）
前記カートリッジ装置は、前記内部空間内で可動なコンポーネントを有し、該コンポーネントは、前記カートリッジ装置内で、幾何学形状的な形式、機械的な形式、又は磁気的な形式の案内部を介して案内されていること
を特徴とする、好ましくは形態１〜１３のいずれか一に記載のステレオリソグラフィ装置。
（形態１５）
前記カートリッジ装置は、前記内部空間を上方に向かって境界付けて閉じる閉鎖部材を有し、該閉鎖部材は、交換可能であり、好ましくは全体的に堅固であること
を特徴とする、好ましくは形態１〜１４のいずれか一に記載のステレオリソグラフィ装置。
（形態１６）
前記閉鎖部材は、前記内部空間に指向する面に形成されている幾何学形状的な穴部を有すること
を特徴とする、好ましくは形態１５に記載のステレオリソグラフィ装置。
（形態１７）
前記閉鎖部材は、複数部材式で構成されており、１つの感光性物質又は複数の感光性物質が保管可能である少なくとも１つの領域を有すること
を特徴とする、好ましくは形態１５又は１６に記載のステレオリソグラフィ装置。
（形態１８）
感光性物質の容器を受容するための領域が設けられており、好ましくは、前記容器の穴開けのための手段（１０５，３０５）が設けられていること
を特徴とする、好ましくは形態１７に記載のステレオリソグラフィ装置。
（形態１９）
前記閉鎖部材は、少なくとも１つの組み込まれたピストンを有し、該ピストンのストローク運動により感光性物質の流出が配量可能であること
を特徴とする、好ましくは形態１５〜１８のいずれか一に記載のステレオリソグラフィ装置。
（形態２０）
前記ピストンは、前記閉鎖部材内にある容器、特に感光性物質の容器の穴開け又は開放のための装置を有すること
を特徴とする、好ましくは形態１９に記載のステレオリソグラフィ装置。
（形態２１）
前記ピストンは、溶剤、及び／又は、ガス又は混合ガス、特に窒素又は空気を供給するための装置を有すること
を特徴とする、好ましくは形態１９又は２０に記載のステレオリソグラフィ装置。
（形態２２）
前記カートリッジ装置は、酸素に対して透過性であり且つ少なくとも一部材式で構成された底部を含むこと
を特徴とする、好ましくは形態１〜２１のいずれか一に記載のステレオリソグラフィ装置。
（形態２３）
製造された３次元対象物の取り外しを容易にする振動を発生させるための装置が設けられていること
を特徴とする、好ましくは形態１〜２２のいずれか一に記載のステレオリソグラフィ装置。
（形態２４）
複数のカートリッジ装置が該ステレオリソグラフィ装置へ取り付け可能であること
を特徴とする、好ましくは形態１〜２３のいずれか一に記載のステレオリソグラフィ装置。
（形態２５）
ステレオリソグラフィ装置において使用するためのカートリッジ装置であって、
該カートリッジ装置は、シェルにより包囲された内部空間を有し、該カートリッジ装置の前記シェルは、変形可能であり、前記内部空間は、少なくとも部分的に受容空間により構成される容積部を有し、前記受容空間内には、照射及び硬化過程の少なくとも一期間の間、所定量の感光性物質が受容可能であり、感光性物質の硬化を引き起こす光線が到達可能であること
を特徴とするカートリッジ装置。
（形態２６）
該カートリッジ装置は、ステレオリソグラフィ装置へ取り外し可能に取り付け可能であること
を特徴とする、好ましくは形態２５に記載のカートリッジ装置。
（形態２７）
情報支持体が設けられており、該情報支持体は、感光性物質に関する情報、特に感光性物質の量、種類、及び／又は状態、及び／又は３次元対象物の製造の過程のプロセスパラメータを保持すること
を特徴とする、好ましくは形態２５又は２６に記載のカートリッジ装置。
【００１５】
本発明による解決策は、既知の形式の実質的に堅固なカートリッジに代わり、シェル並びに底部が少なくとも部分的に可撓（フレキシブル）に構成されており、少なくとも所定の材料から構成されているカートリッジを提案する。シェルを可撓に構成することにより、カートリッジシェルの変形、並びに必要な場合には全カートリッジボディの変形が、例えばカートリッジの圧縮により可能とされ、それにより基準面から層の後続の分離を伴う、対象物支持体（以下、「支持体」と称する）における層の直接的な生成、並びに層の直接的な付着が容易化され、それに対して感光性物質は、少なくとも部分的に構造化プロセス中にはカートリッジの内部にある。この際、生成された層の数が増加するにつれてカートリッジは伸長され、或いはより少なく圧縮され（変形され）、従ってカートリッジは、所望であるならば、生成すべき対象物の完成後には、機械への挿入により再びその元の形状へ復元されることが可能である。シェルは、内部空間を外方に向かって境界付けるカートリッジの部分として理解され、場合により設けられる、例えば押付具、スクレーパ（ないしヘラ Rakel）、又は弁部材のような、内部空間内で可動である追加的なコンポーネントは、本発明の意味においてシェルには属さない。
【００１６】
それにより本発明は、ステレオリソグラフィ装置の内部の感光性物質のより効率的で調節可能な保管を可能とし、並びに生成された層を基準面から損傷なく分離することを可能とする。更なる利点は、基準面に対する生成された層の支持体ないし生成された対象物の支持体の相対運動の制御が改善されて比較的簡単であること、並びにステレオリソグラフィ装置内の感光性材料の提供性と操作性が簡素化されていることである。
【００１７】
更にカートリッジは、情報支持体を有するように構成されていることが可能であり、該情報支持体を介し、量、種類、状態、プロセスパラメータを推定することができる。それに応じ、カートリッジ装置は、情報支持体（ないし記憶手段）を含み、該情報支持体は、感光性物質に関する情報、特に感光性物質の量、種類、及び／又は状態、及び／又は３次元対象物の製造の過程のプロセスパラメータを保持し、及び／又はステレオリソグラフィ装置へ、例えばステレオリソグラフィ装置の制御装置へ伝送する。情報支持体は、例えば、マーク、バーコード、ＲＦＩＤチップ、磁気ストライプなどであり得る。
【００１８】
記述したように、カートリッジ装置が、ここで開示された形式のステレオリソグラフィ装置へ取り外し可能に取り付け可能であると有利である。本発明の有利な更なる一構成において、カートリッジ装置は、カートリッジの交換を容易にするために、対象物支持体に取り外し可能に固定可能であり、ないし固定されていることが可能である。
【００１９】
シェルの変形可能な領域は、一部材式で構成されていることが可能であり、好ましくは、柔軟（可撓性）な材料（曲げやすい材料）から成るが、要求に応じて複数部材式としてもよい。つまりカートリッジの外殻部は、フィルムチューブ（例えばＦＥＰフィルム又はＰＴＦＥフィルム）から構成されることが可能であり、それに対して例えば透明な底部材（最も簡単な場合は少なくとも１つのガラス片）が位置するカートリッジの底部は、適切なプラスチックから成る簡単な射出成形部材であり、カートリッジの閉鎖用の上部も同様である。底部材又は上部は、構成に応じ、基準面を含むことができる。
【００２０】
更に内部空間の容積部は、大部分が、好ましくは全部が、受容空間により構成されていることが可能である。基準面は、受容空間の底部（ないし上面）にあるか、又は受容空間内の適切な表面により、例えばメンブレン（膜）、２つの（例えば上下に層を成す）液体の間の境界面、又は受容空間内で異なる状態を有する少なくとも１つの感光性物質の境界面により定義される。シェルは、好ましくは、包囲された内部空間が、シェルの変形過程中に実質的に一定の容積を有するように構成されていることが可能である。多くの実施形態において、シェルの変形可能性は、カートリッジ装置の高さに関して可逆的な圧縮（復元可能な圧縮）が可能であるように設計されている。多くの場合、圧縮変形は、優先的に所望の変形であり、従ってこれらの場合において、変形可能性は、そのような可逆的な圧縮に制限されているとしてよい。圧縮（又は圧縮に対する伸長）は、例えば、支持装置のベースプレートと、該ベースプレートに向かい合うカートリッジ装置の端部を保持する保持装置との間の相対運動により発生可能であり、一般的にカートリッジ装置の２つの端部は、支持装置において、それぞれの保持手段により保持されており、カートリッジ装置の圧縮ないし伸長は、これらの保持手段の互いの相対運動により行われる。
【００２１】
多くの実施形態において、シェルは、それ自体が折り畳み可能（ないし蛇腹式しわ寄せ可能）である幾何学形状を有することができる。それに加え又は代替的に、シェルは、少なくとも１つの基準面を有し、該基準面は、堅固に、部分的に可撓に、又は全体的に可撓に構成されていることが可能である。シェル内に構成された基準面は、空間内で任意に移動又は変形可能であると有利である。
【００２２】
シェルは、好ましくは、シェルが、底部と、上部と、これらの底部と上部をつなぐ外殻部とを有するように形成されていることが可能であり、この際、好ましくは、外殻部が変形可能である。シェルの底部は、少なくとも一層式で堅固に又は可撓に構成されており、及び／又は複数の材料から構成されていることが可能である。
【００２３】
本発明の更なる一構成視点により、シェルの底部、及び／又は外殻部は、感光性物質を供給又は排出するための、及び／又は所定の溶剤を内部空間へ供給又は内部空間から排出するための、少なくとも１つの開口部を形成するために、少なくとも１つの穴開け可能な領域、好ましくは、弱化された領域を有することが可能である。
【００２４】
本発明によるカートリッジ装置のシェルは、感光性物質に対して非透過性であり且つ少なくとも一体的に構成されている閉じた底部並びに側壁部を有することが可能である。しかしこれらは、ガス又は混合ガスに対して透過性（浸透性）で構成されていることが可能である。この意味において、既述の外殻部は、ガス又は混合ガスに対し、特に酸素又は空気に対し、透過性（浸透性）に構成されている。またこの種の底部は、ガス透過性としてもよい。
【００２５】
更にシェルは、上面部及び／又は側方において、閉鎖可能な開口部を有することが可能であり、該開口部を通って感光性物質が内部空間内へ供給可能であり内部空間から排出可能である。シェルは、特に側方の開口部ないし開口突出部を有することも可能である。この際、シェルは、開口部を密封するための密封要素（シール要素）を有することが可能である。またシェルは、上側の開口部並びに下面部において密封要素を有することが可能である。更に開口部は、好ましくは一部材式で構成されている閉鎖要素により閉鎖可能であり得て、この際、該閉鎖要素は、感光性物質の硬化された層の支持体として構成されていると好ましい。
【００２６】
一部材式又は複数部材式に構成されたカートリッジは、幾何学形状的な要素、機械的な要素、又は磁気的な要素を含むことが可能であり、これらの要素は、相対運動を実行することのできる少なくとも１つの要素と、所定の固定部を介して結合可能である。更にカートリッジ装置の有利な更なる一構成は、内部空間内で可動なコンポーネントを有し、該コンポーネントは、カートリッジ装置内で幾何学形状的な形式、機械的な形式、及び／又は磁気的な形式の案内部を介して案内されていることが可能である。シェル内で可動なこの種のコンポーネントは、例えば、スクレーパ（ヘラ Rakel）、押付具、弁として機能するフラップなどであり得る。
【００２７】
本発明の一構成は、カートリッジ装置が、内部空間を上方に向かって境界付けて閉じる閉鎖部材を有することが可能であることを提案し、この際、この閉鎖部材は、交換可能であり、好ましくは全体的に堅固（高い剛性）であり得る。この閉鎖部材は、カートリッジの内部空間に指向する面において、適切に形成された幾何学形状的な穴部、即ち切欠部や開口部を有することが可能である。この種の穴部を通し、例えば感光性液体をカプセルからシェルの内部空間内へ入れることができる。穴部の他の有利な使用は、支持体として用いられる面における３次元対象物の付着を改善することである。それに加え、閉鎖部材は、一部材式又は複数部材式で構成されていることが可能である。閉鎖部材（閉鎖要素）の適切な幾何学的な形状構成により、１つの感光性樹脂又は複数の感光性樹脂が直接的に又は間接的に保管可能である少なくとも１つの領域を設けることが可能である。
【００２８】
有利には、閉鎖部材（閉鎖要素）は、感光性樹脂で満たされた、好ましくは穴開け可能に構成されている少なくとも１つの物体が格納可能であることを可能とする。それに対応し、感光性物質の容器を受容するための領域が設けられていると有利であり得て、この際、好ましくは、容器の穴開けのための手段が設けられている。
【００２９】
それに加え、閉鎖部材は、少なくとも１つの組み込まれたピストンを有することが可能であり、該ピストンのストローク運動により感光性物質の流出が配量可能である。該ピストンは、更に閉鎖部材内にある容器、特に感光性物質を有する容器、の穴開け又は開放のための装置を有することが可能である。従って少なくとも１つのピストンは、感光性材料を放出するために、時間に依存して、少なくとも１つの袋状要素を損傷することのできる状態にあり得る。
【００３０】
追加的にピストンは、溶剤、及び／又は、ガス又は混合ガス、特に窒素又は空気を供給するための装置を有することが可能である。
【００３１】
それに加え、カートリッジ装置は、有利には、酸素に対して透過性であり且つ一部材式又は複数部材式で構成された底部を含むことが可能である。
【００３２】
製造された３次元対象物の取り外しを容易にするために、更に本発明による装置内には、振動を発生させるための装置が設けられていることが可能である。
【００３３】
本発明によるステレオリソグラフィ装置は、１つか又は２つ以上のカートリッジを取り付けるために設けられていることが可能である。特に複数のカートリッジ装置をステレオリソグラフィ装置へ取り付けることが可能である。
【００３４】
本発明の更なる詳細及び利点は、添付の図面に図示された、本発明に対する限定的ではない複数の実施例の以下の説明から明らかである。図面は、模式的な形式で以下の内容を示している：
【図面の簡単な説明】
【００３５】
【図１】本発明の一実施例によるステレオリソグラフィ装置の斜視図を示す図である。
【図２】図１の装置に取り付けることのできる一カートリッジ装置の分解図を示す図である。
【図２ａ】図２のカートリッジ装置を組み立てた状態で示す図である。
【図３】支持体とその中に取り付けるべきカプセルとを有するカートリッジ閉鎖部材の第１実施形態の斜視図を示す図である。
【図４】図３の閉鎖部材の縦断面を示す図である。
【図５】カプセルが取り付けられた図３の閉鎖部材の斜視図を示す図である。
【図６】図５の閉鎖部材の縦断面を示す図である。
【図７】閉鎖部材の第２実施形態の斜視図を示す図である。
【図８】図７の閉鎖部材の縦断面を示す図である。
【図９】栓部材の取り外された図７及び図８の閉鎖部材を示す図である。
【図１０】複数のコンポーネントから組み立てられた閉鎖部材の一実施形態を斜視図として示す図である。
【図１１】組み立てられた状態の図１０の閉鎖部材の縦断面を示す図である。
【図１２】ピストンが操作された状態の図１０の閉鎖部材を示す図である。
【図１３】ピストンが操作された状態の図１１の閉鎖部材を示す図である。
【図１４ａ】本発明によるカートリッジ装置のシェルの一実施バリエーションを示す図である。
【図１４ｂ】本発明によるカートリッジ装置のシェルの一実施バリエーションを示す図である。
【図１４ｃ】本発明によるカートリッジ装置のシェルの一実施バリエーションを示す図である。
【図１４ｄ】本発明によるカートリッジ装置のシェルの一実施バリエーションを示す図である。
【図１５】情報支持体が設けられたカートリッジ閉鎖部材を示す図である。
【図１６ａ】本発明による一カートリッジ装置を使用して感光性物質の硬化層を生成するための４つの段階の順番のうち１番目の段階を図解する図である。
【図１６ｂ】本発明による一カートリッジ装置を使用して感光性物質の硬化層を生成するための４つの段階の順番のうち２番目の段階を図解する図である。
【図１６ｃ】本発明による一カートリッジ装置を使用して感光性物質の硬化層を生成するための４つの段階の順番のうち３番目の段階を図解する図である。
【図１６ｄ】本発明による一カートリッジ装置を使用して感光性物質の硬化層を生成するための４つの段階の順番のうち４番目の段階を図解する図である。
【図１７】一カートリッジシステムの他の一実施形態を示す図である。
【図１８】一カートリッジシステムの更に他の一実施形態を示す図である。
【図１９ａ−１９ｂ】閉鎖部材のカプセルの交換の様子を図解する図である。
【実施例】
【００３６】
図１は、本発明によるステレオリソグラフィ装置１の一実施例の例示の外観を示しており、当該装置１は、所定の感光性物質からそれぞれのカートリッジ装置５、６の内部で硬化される個々の層を用いて１つ又は複数の３次元対象物２（図１６ａ〜図１６ｄ）を生成製造するためのものである。この際、感光性物質は、カートリッジ装置５、６の内部の受容空間４内で放射線（作用光線）により硬化可能である。本開示内容の枠内において「放射線」とは、感光性物質の所望の硬化反応を引き起こすのに適した（通常は電磁気的な）光線、特にＵＶ光のような光線を意味している。感光性物質は、通常は液状であり、この際、本開示内容の枠内において「液状」との概念は、懸濁液や濃い液状の物質を含め、任意の粘性を有する液体に関する。
【００３７】
１つ又は複数のカートリッジ装置５、６は、それぞれに割り当てられたサポート装置７５、７６を用いて保持され、ベースプレート７７上に配設されている。ベースプレート７７は、付属の駆動部や場合により他の（図１では非図示の）コンポーネントを含め、サポート装置７５、７６と共に本発明の支持装置７を構成している。
【００３８】
制御可能な光源８は、例えばベースプレート７７の下方に配設されており、そこでステップモータ駆動式のリニア駆動部８１、８２を用い、水平方向において、好ましくは２つの方向（Ｘ方向とＹ方向）において位置決め可能である。光源８は、そのように少なくとも１つのカートリッジ装置５、６に対して相対運動可能に構成されており、このようにして対象物２の構造化プロセスが行われるべきカートリッジ装置５、６の下方において位置決めされる。１つのバリエーションにおいて、ステレオリソグラフィ装置は、回転可能に備えられたミラーを含むことも可能であり、該ミラーを介し、更なる偏向ミラーを用い、光源８から出射された光を、回転可能に備えられたミラーの偏向により複数のカートリッジ装置に導くことも可能である。
【００３９】
各サポート装置７５、７６は、ベースプレート７７ないしカートリッジ装置５、６の底部に対し、例えば所定のステップモータ駆動部により高さに関して位置調節可能である。サポート装置７５、７６は、好ましくは、サポート装置７５、７６が、その中に保持されたカートリッジ装置を受容し、中心合わせをし、ベースプレート７７に対して所定のポジションで固定保持することができるように構成されており、好ましくは、サポート装置７５、７６は、カートリッジ装置５、６の上部（閉鎖部材）を保持し、そのようにしてベースプレート７７に対する運動によりカートリッジ装置５、６の高さを調節し、そのようにしてこれらを圧縮することが可能である。更に支持装置７は、カートリッジ装置５、６のうち１つ又は各々のために固定要素７４を有し、例えば形状結合（互いの形状により拘束し合う結合、アリツギ式結合）によるロックを可能とするボディ部材を有することが可能であり、固定要素７４を用い、カートリッジ装置５、６の下部が少なくとも（作動）展開過程（構造化過程）の期間の間、固定可能である。制御装置９は、例えば制御コンピュータであるが、サポート装置７５、７６、リニア駆動部８１、８２の運動を制御し、光源８の点灯も含め、ステレオリソグラフィ装置１における製造プロセスの経過を制御し、場合により制御装置９は、カートリッジ装置５、６におけるセンサにより記録された測定信号及び／又はセンサ信号も受信して処理する。
【００４０】
図２には、本発明の一カートリッジ装置の実施例として一カートリッジシステム１０を（ｚ方向で分解された）等角分解図として図示されており、該カートリッジ装置は、図１のステレオリソグラフィ装置に取り付け可能である。図２ａは、組み立てられたカートリッジシステム１０を示している。図示された実施形態のカートリッジシステム１０は、例えば、閉鎖部材１１（例えば、以下、図３〜図６で説明する閉鎖部材と構造的に同じであり得る）と、シェル１４（例えば、図１４ａのシェル１４１と構造的に同じである）と、好ましくは少なくとも部分的に放射線（作用光線）に対して光線透過性である追加的な底部１５と、ロック部材１６と、カートリッジ補強部材１７とを含んでいる。勿論、閉鎖部材と、底部と共にシェルと、ロック部材とは、ここで開示された構成とは異なる構成により、又は当業者が本発明の枠内で見出すことのできる更なる実施形態により実現されていることも可能である。
【００４１】
ロック部材１６は、シェル１４を追加的に補強するために用いられ、更にこの構成部材１６は、ステレオリソグラフィ装置１（図１６）における、少なくとも部分的に可撓（フレキシブル）なカートリッジシステム１０の基準設定、中心合わせ、力結合（摩擦結合）による固定、及び／又は形状結合による固定を可能とする。更にロック部材１６は、下側のカートリッジ領域の膨らみ、変形、折れ曲がり、及び／又は、持ち上がりを防止する。
【００４２】
少なくとも部分的に可撓なカートリッジシステム１０をステレオリソグラフィ装置１の外部と内部で確実に取り扱うことができるようにするために、カートリッジシステム１０は、カートリッジ補強部材１７を有し、カートリッジ補強部材１７は、例えば少なくともハーフシェル状で構成され、カートリッジシステム１０の可撓なシェル１４の幾何学形状へ適合されている。カートリッジ補強部材１７を用いることにより、カートリッジシステム１０の所望の高さが固定される。カートリッジ補強部材１７は、カートリッジシステム１０から引き抜きが簡単に可能であるように構成されていることも可能であり、このことは、例えばグリップ又はウインドウにより達成可能である。好ましくは、カートリッジ補強部材１７は、カートリッジ補強部材１７が少なくとも１つの端部において、ロック部材１６、シェル１４、及び／又は閉鎖部材１１と、例えばクリップの形式によるカートリッジ補強部材１７の締め付けにより、取り外し可能な、形状結合又は力結合（摩擦結合）による結合を成すことができるように構成されている。
【００４３】
図３は、閉鎖部材１１の第１実施形態を、上方側方からの斜視図として示しており、閉鎖部材１１は、生成される層（これらの層は、既述したように支持体の下面部において構造化される）の支持体１０２を有し、支持体１０２内には、更に少なくとも１つのカプセル１０１が挿入可能である。カプセル１０１は、図３ではまだ支持体１０２の上方に図示されており、即ちまだ挿入されてなく穴開けされていない状態にある。カプセル１０１内には、例えば任意の粘性の又は濃い液状の液体であり得る少なくとも１つの感光性物質が入れられている。カプセル１０１は、カプセル閉鎖要素１０７により閉じられる。またこのカプセル閉鎖要素１０７は、過圧弁として構成されているか又はそのような弁を含むことも可能である。カプセル１０１の（非図示の）バリエーションでは、カプセル自体が過圧弁を有することも可能である。
【００４４】
図４は、カプセル１０１と支持体１０２の断面図（中心軸線に沿った縦断面）を示している。（穴開けされていない）カプセル１０１は、初期充填レベルＨ０を有する所定量の感光性物質３を含んでいる。支持体１０２は、少なくとも１つの開口部１０９を有し、開口部１０９を通し、カプセル１０１から流出する感光性物質３が支持体１０２の下方の領域へ達することができる。カプセル１０１は、この実施形態では、その下面部１１０において比較的僅かな壁厚の１つ又は複数の領域（薄壁部）１０４を有する。これらの弱化された領域１０４は、支持体１０２の突出形状部（突出部）１０５による穴開けのために設けられている。これらの突出部１０５は、カプセル１０１のための支持体１０２の載置面１０８上にあり、例えば、それぞれ外方へ通じる開口部１０９を包囲する隆起した突出縁部として形成されている。カプセル１０１は、支持体１０２内へ挿入した際に、好ましくは噛み合い式の１つ又は複数の保持手段１０６により位置固定されることが可能であり、保持手段１０６は、例えば、弾性的に戻るスナップフック１０６として構成されていることが可能である。それによりカプセル１０１は、上方から支持体１０２内へ挿入可能であり、同時に穴開けが可能である。
【００４５】
勿論、カプセル１０１は、例えばバヨネットロックにより、又はカプセルの挿入後に取り付けられてカプセルを噛み合いにより支持体内へ位置固定する追加的な部材により、他の方式で支持体１０２内に位置固定されることも可能であり、またカプセル１０１は、ねじ山を有し、支持体１０２内へねじ込まれることも可能である。
【００４６】
一実施バリエーションにおいて、穴開けは、追加的に載置面１０８上に設けられた部材、例えば刃部材や針部材により行うことも可能である。他の一実施バリエーションにおいて、カプセルは、複数部材式で構成されており、この際、カプセル１０１の下面部１１０は、少なくとも領域ごとに、例えばフィルム（フォイル）のような容易に穴開けされる材料から構成されている。カプセル１０１は、この際、フィルムの穴開けにより、又はフィルムで覆われた下面部１１０の領域からフィルムを引きはがすことにより開口されることが可能である。
【００４７】
他の非図示の一実施形態において、支持体１０２は、歯付きリングや、例えば側方の面部に（平歯車状に）形成されている噛合部を有する。これは、数度の角度の小さい角度α（ギリシャ文字のアルファ）でカートリッジシェルの底部に対する回転を可能とする。この回転により、製造された対象物を基準面から引き離すために必要な力を遥かに減少させることができる。
【００４８】
図５は、カプセル１０１が取り付けられた支持体１０２の斜視図を示しており、それによりカートリッジ閉鎖部材１１が構成されている。
【００４９】
図６は、カートリッジ閉鎖部材１１の断面図（中心軸線に沿った縦断面）を示している。突出部１０５によるカプセル１０１の穴開けの結果、感光性物質３は、支持体１０２に設けられた開口部１０９を通って流出可能である。この際、充填レベルは、図６に図示されたように初期充填レベルＨ０（図４）からレベルｈへ低下する。
【００５０】
図７と図８は、カートリッジ閉鎖部材２００の第２実施形態を斜視図と断面図（図５と図６の斜視図と断面図に対応）として示しており、カートリッジ閉鎖部材２００は、支持体２０２と、蓋部材２０１と、栓部材２０８を有する。支持体２０２は、感光性物質３を（充填した状態で）含んでいる。支持体２０２の底面部に形成された開口部２０９が、栓部材２０８により閉じられる。栓部材２０８は、グリップ要素又はラグ（取っ手）を有し、蓋部材２０１の開口部２０７を通って上方に向かうように構成されており、栓部材２０８は、取り付けられた状態で蓋部材２０１と支持体２０２を感光性液体３の流出に対して密封し、この際、開口部２０７、２０９における密封作用は、材料結合（材料同士の結合）による差込により、ねじ込みにより、又は追加的な幾何学形状部により、並びにＯリングや密封要素（シール要素）などのような追加的な構成部材により達成可能である。蓋部材２０１は、例えば力結合（摩擦結合）及び／又は形状結合による密閉結合部２１０により支持体２０２の内部空間を閉鎖する。
【００５１】
図９は、どのように感光性物質３が、栓部材２０８の取り外し後に支持体２０２から底部側の開口部２０９を通って流出するかを示している。感光性液体３の流出を容易にするために、開口部２０９の幾何学形状は、この目的のために適切に形成されていることが可能である。追加的に支持体２０２と蓋部材２０１は、内側で感光性物質３と接触する面において、支持体２０２を空にした後に支持体２０２の内部空間内に残る感光性物質３ができるだけ少なくなるように所定の材料を用いてコーティングされていることが可能である。このことは、例えば、ＦＥＰ、ＰＴＦＥ（テフロン）又は表面張力ないし湿潤を減少させる他の材料により達成可能である。このバリエーションは、中空空間の簡単な再充填と簡単な洗浄を可能にする。好ましくは、栓部材２０８は、開口部２０７を通した再閉鎖と充填が可能であるように構成されている。
【００５２】
更に栓部材２０８は、栓部材を通って中空空間の充填を可能にする充填路（非図示）を有することも可能であろう。この際、それらの充填路は、栓部材の下側端部の上方で側方の穿孔開口部に当たる上方からの穿孔部（Ｌ形状や反対Ｔ形状の流路）として構成されていることが可能である。代替的に蓋部材２０１は、充填に適した閉鎖可能な別個の開口部（非図示）を有することも可能である。
【００５３】
図１０と図１１は、閉鎖部材３００の第３実施形態を示しており、閉鎖部材３００には、支持体３０２の内部で押付具又はピストン３０１が案内されている。ピストン３０１の案内は、好ましくは、例えば支持体３０２の内面部における案内溝３１３へ係合する突出部又はノーズ３１１の形式の案内要素３１１、３１３（溝）を用いて行われ、つまりこれらの案内要素３１１、３１３は、中心合わせ機構、案内機構、回転防止機構として用いることができる。更にピストン３０１は、ピストン３０１を支持体３０２から取り外すこともできるように構成されていることが可能である。この実施形態は、感光性物質３で充填されている袋状の容器３１２を閉鎖部材３００に再装着（交換可能に装着）することを可能とする。容器３１２は、好ましくは光に対して非透過性でもあり（例えばプラスチックフィルム又はコーティングされたアルミニウムフィルム）少なくとも部分的に、穴開け可能な材料から構成されている。ピストン３０１は、容器３１２の方を向いた側で内側表面部に構成され、目標を定めて袋状の容器３１２の穴開けを可能とする、例えば針部材、歯部材、又は刃部材の形式の穴開け要素３０５を有する。それに加え又は代替的に、支持体３０２自体もそのような穴開け手段を有することが可能である。穴開けは、例えば針状の物体により、外部から制御されて行われることも可能である。感光性物質３で充填された容器３１２は、更なる一実施バリエーションにおいて、それぞれ１つの感光性材料で充填されている複数のセクションを有することが可能である。それにより例えば制御された外部の穴開け物体により、適切な順番で個々のセクションの穴開けが行われることが可能である。
【００５４】
同様に図１０と図１１から見てとれるように、更に支持体３０２は、支持体３０２が袋状の物体３１２を自身に受容し、その位置に関しても位置固定可能ないし中心合わせ可能であるように構成されていることができる。この際、袋状部材３１２を受容するための領域は、縁部又は所定数のラグ（ないしリブ）を用いて包囲されていることが可能である。図１１の断面図は、支持体３０２内に保持された袋状の物体３１２を有し、複数部材式で構成された閉鎖部材３００を、ピストンポジションｈ１（支持体３０２の上縁部からの間隔として測定された）を有する初期位置において示している。
【００５５】
図１２の斜視図と、それに対応する図１３の断面図は、ピストン３０１がその（下降した）最終ポジションｈ２にある状態で閉鎖部材３００を示している。初期位置ｈ１から出発し、ピストン３０１のポジションｈ１とポジションｈ２の間の任意の位置と、最終的に最終位置ｈ２は、外部からの力Ｆの作用により達成可能である。ピストンが支持体３０２内で回転可能であり、例えば螺旋状の案内カーブ又は所定のピッチをもつねじ山を有する場合の（非図示の）バリエーションとして、ピストンは（回転運動を発生させるための）円周力の使用により運動されることも可能である。
【００５６】
初期位置ｈ１から最終位置ｈ２への運動により、袋状部材３１２は、穴開け要素３０５により刺され、それにより開放される。図１２に図示されたポジションｈ２において、穴開けされた袋状部材３１２’は、感光性物質３を放出し、それにより感光性物質３は、支持体３０２の内部空間内へ流出し、そこから流出のために設けられている開口部３０９を通って流出する。有利な一構成では、ピストン３０１が支持体３０２と協働し、ピストン３０１が穴開けの他に容器３１２の押しつぶしも可能とし、従って容器３１２をほぼ完全に空にすることを可能とするように構成されていることを提案することもできる。勿論、ピストン３０１は、必ずしも閉鎖部材３００の一部である必要はなく、更にピストンは、一般的に複数部材式で構成されていることが可能であり、つまり複数の部分ピストンに分割されていることも可能であり、それによりこれらの幾つものピストンを互いに依存しないで動かすことも可能である。
【００５７】
図１４ａ〜図１４ｄには、本発明によるカートリッジ装置の、本発明により少なくとも部分的に可撓（フレキシブル）なシェルの幾つかの構成バリエーション１４１、１４２、１４３、１４４の例が、模式的な斜視図として図示されている。シェルは、例えば一部材式で構成されているが、２つのコンポーネント又は複数のコンポーネントから組み立てられていることも可能である。シェル１４、１４１〜１４４の基本幾何学形状は、所望の適用分野に応じ、内部空間１４０を包囲するあらゆる任意の幾何学形状を有することが可能であり、例えば、シェルは、円形、楕円形、正方形、又は矩形の基本面をもつ円筒形状又は柱形状を有することが可能であり、更に基本面で多角形のエッジは、丸められていることが可能である。好ましくは、シェルは、コップ状の基本形状を有し、この際、シェルは、底部と外殻部を含むことが可能である。この際、外殻部は、底部と上部をつなぐ側方壁部を構成し、この際、上部は、シェルの一部であるか、又は、例えば閉鎖部材１１、２００、３００、４００のような追加的なコンポーネントにより構成されていることが可能である。特にシェルの好ましい形状構成は、回転対称に構成されているか、又は少なくとも部分的に箱状の基本面をもって構成されている。
【００５８】
例えば、シェル１４１は、図１４ａに図示されているように、平滑な外面と内面を有する外殻部を有することが可能である。図１４ｂと図１４ｃに図示されているように、比較的複雑なシェル幾何学形状も同様に可能である。図１４ｂは、例えばシェル１４２の外殻部の蛇腹状のひだ（しわ）を示しており、このひだは、シェル１４２の比較的容易な折り畳みを可能とする。シェル１４２は、セクションごとにベローズの機能をもつ外殻部幾何学形状を有する。他の（非図示の）例においてシェルの外殻部は、シェル幾何学形状での折り畳みを容易にするために、円錐形や台形で（面が）互いに合致（zusammenlaufend）するように構成されていることが可能である。またシェルは、少なくとも１つの開口部を有し、及び／又は、適切に構成された連結管及び／又は開口部を有する。図１４ｃは、基本ボディにおいて回転対称に一部材式で構成されたシェル１４３の一例を示しており、シェル１４３は、１つ又は複数の開口部を備えた底部を有し、該開口部には、追加的な構成部材（例えばパイプ）１４５、及び／又は、複数層で様々な材料から構成された底部、並びに場合により閉鎖用の透明プレートを取り付けることが可能であり、それにより以下で図１７に基づいて更に説明するように、構成部材１４５を用いて充填可能である中空空間が得られる。代替的に、例えば流入管及び／又は流出管などのようなシェルに構成されたコンポーネントは、シェルと共に一部材式で構成されていることが可能である。それに加え、シェル幾何学形状は、図１４ｄとそこで図示されたシェル１４４に関連し、少なくとも、窪んだ及び／又は隆起した幾何学形状部１４６（例えば溝又はリブ）をシェル１４４の下側領域に有することが可能であり、幾何学形状部１４６を用い、追加的な底部１５、２５（図２ないし図１７）が固定可能であり、追加的な底部１５、２５は、感光性物質を硬化するための放射線に対して少なくとも部分的に透過性であり、例えば、プレキシガラス、アクリルガラス、又はフロートガラスから構成されており、シェル１４１〜１４４の底部の下に追加的な中空空間を構成する。更にこの幾何学形状部１４６は、シェル１４４の配向可能性及び／又は固定可能性を提供することができる。
【００５９】
図１５は、カートリッジ閉鎖部材５００の一例を示しており、その外面部（ここでは蓋部材５０１の上面部）には、１つ又は複数の情報支持体（キャリア）５０２、５０３が設けられており、これらには、感光性物質に関する情報、特に感光性物質の量、種類、及び／又は状態、及び／又は３次元対象物の製造の過程のプロセスパラメータが記憶されている。情報支持体からデータが適切な送信経路を介してステレオリソグラフィ装置へ、例えば制御装置９へ伝送可能である。情報支持体は、例えばマーク、バーコード５０３、ＲＦＩＤチップ５０２、磁気ストライプなどであり得る。
【００６０】
図１６ａ〜図１６ｄは、個々のステージ又は段階の順序を示しており、これらのステージ又は段階は、本発明によるステレオリソグラフィ装置１の可能な一実施形態における（図２のカートリッジシステム１０の例の）本発明によるカートリッジ装置の機能を図解している。これらの図面では、図面の見やすさのために、ステレオリソグラフィ装置１の光源８とカートリッジシステム１０だけが示されており、それに対してカートリッジシステム１０の保持、位置決め、並びに可能な変形（圧縮／伸長）のための装置は図示されていない。図１６ａ〜図１６ｄは、３次元対象物２の１つの層Ｂｎのための単独の構造サイクルに基づき、３次元対象物２の製造の様子を図解しており、３次元対象物２については、それまでにＢ１からＢｎ−１までの層が生成されている。本開示の図面において、３次元対象物２は、逆ピラミッド形状を有する構成部材として示されているが、これは、単に例として想定されたものであり、限定とすべきではない。つまり勿論、極めて異なる形状の３次元対象物を生成することが可能である。感光性物質３を使用した層Ｂｎのための構造サイクルは、以下の段階を含んでいる。
【００６１】
段階１：高さＡ１を有する初期位置（図１６ａ）
段階２：高さＡ２上への支持体の低下（図１６ｂ）、Ａ２＜Ａ１
段階３：層Ｂｎの露光ないし生成（図１６ｃ）
段階４：支持体の上昇（図１６ｄ）と、場合により、（さらに上昇して）硬化された層Ｂｎの離型（分離）
【００６２】
これにより初期位置（段階１）に対応する最終位置が達成されるが、この際、Ａ３＞Ａ２である。高さＡ３は、図示された構造サイクル以前の高さＡ１と一致するか又は異なっていてもよい。しばしば、Ａ３＞Ａ１となるが、それは、構成部材（３次元対象物２）の大きさが増加するためである。
【００６３】
図１６ａは、初期状況を図示しており、ここでは、カプセル１１１は既に穴開けされており、カプセル１１１から感光性物質３が、本発明の受容空間であるカートリッジシステム１０の内部空間１４０内へ流出し、そこでシェル１４の底部を満たし或いは覆っている。高さＡ１を有する初期位置（段階１）では、既に構成部材（３次元対象物）２のｎ−１個の構成部材層が生成されており、最後に構成された層Ｂｎ−１は、シェル１４の底部上の所定の位置にある。
【００６４】
それに続き、図１６ｂに示されているように、閉鎖部材１１により構成されたカートリッジシステム１０の上部が、カートリッジシステム１０を圧縮しながら低下される。閉鎖部材１１の低下は、有利には、層Ｂｎ−１が感光性物質３と（新たに）接触するに至るまで行われる。層Ｂｎ−１は、有利には、層Ｂｎ−１が、構成すべき層Ｂｎの所望の層厚分だけ基準面４１上にあるように位置決めされる。閉鎖部材１１の低下の間、場合により更に感光性物質３がカプセル１１１から流出可能であり、この際、引き続き層Ｂｎ−１の下にある液状の感光性物質３は、層Ｂｎの所望の層厚になるように押しのけられ、換言すると、感光性物質３は、層Ｂｎ−１と、シェル１４の底部により構成される基準平面４１、ないし感光性物質３の非反応相３３（図１７を参照）により構成される基準平面４１との間のすき間を満たす。変形可能なシェル１４は、本発明により、その形状構成に対応し、圧縮された状態、即ち折り畳まれた及び／又は膨らみの付けられた状態をとる。
【００６５】
図１６ｃに図解されている段階３において、新しい構成部材層Ｂｎが、放射線（作用光線）８０を用い、例えば、光源８から出射されて、基準面４１上で発生させるべき層Ｂｎの領域へ集束されるＵＶ光を用いて硬化される。この際、従来のステレオリソグラフィ法と一致し、層Ｂｎの構造は、層Ｂｎの露光領域の選択により生成される。
【００６６】
段階４では、そのように段階３で硬化された層Ｂｎが、シェル１４の底部から又は非反応相３３から、閉鎖部材１１の相対運動により持ち上げられ、従って（その後）新たに構成された層Ｂｎが基準面４１から分離される。この際、シェル１４は、上方への運動のストロークの大きさに応じて弾性的に変形され、つまり通常は部分的に緊張緩和される。
【００６７】
図１７は、カートリッジシステム２０の他の一実施形態を示しており、そこでは、例えば実質的に図１４ｃのシェル１４３に従って製造されたシェル２４が縦断面図として示されている。シェル２４の下には、外側のガラス底部２５とシェル２４の下面部２３の間に構成された中空空間２２がある。シェル２４の側方の突出管又はそのために設けられた他の開口部（非図示）を通し、中空空間２２には、所定の流体１９（例えば酸素、又は反応を阻止するガス）又は他のインヒビタ（抑制剤）が流入可能である（容積流量Ｖ（ブイドット））。シェル２４の透過性底部（浸透性底部）を通ってカートリッジの内部空間２４０内へ進入するインヒビタにより、感光性物質３の非反応相３３が形成され、その表面は、シェル２４の（内側の）底部面に代わり、この実施形態の基準面４２を構成する。このように構成された基準面４２は、構成部材２の生成された層が、シェル２４の底部面に付着せず、それにより下側の層の接着と、場合による剥離のリスクが回避されるという利点を提供する。
【００６８】
カートリッジシステムの内部空間は、この実施形態、又は図示された他の実施形態においても、周囲圧力ｐ０よりも大きい又は小さい圧力ｐ１が追加的に印加されることが可能である。このことは、閉鎖部材２１及び／又はシェル２４においてそのために設けられた開口部（非図示）を介して行うことが可能である。この際、カートリッジシステムの内部空間には、例えば、特殊な保護ガス（例えば窒素）を流入させることが可能であり、この保護ガスは、既に構成された層の酸素阻害を防止し、従って層の機械的な強度、並びにその表面品質に対して肯定的に作用する。
【００６９】
図１８は、シェル３４（図１４ｄのシェル１４４のバリエーションに対応して構成されている）とカートリッジシステム３０の構造の更に可能な一実施形態を図解している。この実施バリエーションにおいて、シェル３４は、開口された（即ち完全には閉塞形成されていない）底部３４４を有し、従って底部３４４は、１つの開口部１８（又は複数のそのような開口部）を有する。この開口部は、取り付けられたプレート状又はシート状の構成部材又は構成部材結合体３５を用いて閉鎖される。この構成部材３５は、場合により複数部材式で構成されていることが可能であり、カートリッジシステム３０の閉じた内部空間３４０をもたらし、その上面が、基準面を構成している。構成部材３５は、例えばサンドイッチ構造により構成されることが可能であり、該サンドイッチ構造は、感光性物質３の硬化のために使用される放射線、並びにガスに対して少なくとも部分的に透過性であり得て、例えば、弾性フィルム３１（例えばＦＥＰフィルム、テフロンフィルム）が支持部材３２上に形成されていることが可能であり、この際、支持部材３２は、非反応相３３（図１７に関する上記説明を参照）を構成するために使用されるガス又は混合ガスに対して特に良好な透過性（浸透性）を有する、例えば微孔質ガラスのような材料から成る。
【００７０】
更に図１８は、図１４ｄのシェル１４４のバリエーションで構成されるシェルの実現化の更なる一視点を示しており、この際、シェル３４の外殻部は、複数の区画（セグメント）３４１、３４２、３４３から構成され、個々の区画は、互いに異なる材料特性を有することができる。このことは、例えば異なる可撓性及び／又は異なる光学特性をもった領域を有するカートリッジシェルの構成を可能とする。勿論、外殻部の区画化は、ここで図示された実施形態のうち他の実施形態において設けられていることも可能である。
【００７１】
本発明の更なる一視点が、本発明によるカートリッジシステム４０の断面図に基づいて図１９ａと図１９ｂに図解されており、つまり様々なプロセス種類の間で交換を行うため、例えば層構造化から洗浄過程に交換するためのカプセルの交換が図解されている。図１９ａは、上述の過程により感光性物質３を用いて対象物又は構成部材（３次元対象物）２が構造化されたカートリッジシステム４０を示しており、感光性物質３は、カートリッジシステム４０の支持体４０２内に取り付けられたカプセル４０１からもたらされる。カプセル４０１を取り外し、この実施例の閉鎖部材４００に対し互換性のある新しいカプセル４０４を取り付けてカプセル４０１と交換することにより、感光性物質３の代わりに他の物質を提供することが可能である。例えば、カプセル４０４には、例えばイソプロパノールのような溶剤４３が充填されていることが可能である。カプセル４０４の取り付けと、閉鎖部材４００の支持体４０２の内部空間内への挿入に続くカプセル４０４の外側シェルの穴開けにより、溶剤４３が解放され、閉鎖部材４００の開口部を介してカートリッジシステム４０の内部空間４４０内へ達する。図１９ｂに図示されているように、溶剤４３は、カートリッジシステム４０の内部空間４４０を部分的に又は全体的に満たし、それにより構成部材２の洗浄を可能とし、特にまだ構成部材２に付着している感光性物質３の除去、及び／又は、まだ硬化されてない又は部分的にのみ硬化されている、内部空間４４０内の残りの感光性物質３の溶解を可能とする。溶剤４３内での感光性物質３の溶解により、カートリッジシステム４０の内部空間４４０内では溶液又は混合液１３が構成される。この溶液又は混合液１３は、カートリッジシステム４０を傾ける又は反転させることにより、閉鎖部材４００における開口部を介して排出可能である。例えば、カプセル閉鎖部材４０３を取り外すことで支持体４０２における開口部を通して混合液１３をカートリッジシステム４０の内部空間４４０から流出させることができる。所望の場合には、引き続いて液体を新しい溶剤と交換することもできる。この際、カートリッジ装置は、感光性物質３の溶解が、振動、遠心分離、揺動、温度の上昇などの適した措置により促進可能であるように構成されていることができる。
【００７２】
図１９ａと図１９ｂと同様の方式で、様々な種類の感光性物質の間の交換を行うことも可能であり、例えば、対象物２が様々な材料から構成されるべき場合、及び／又は、対象物２の洗浄及び／又は後硬化のために様々な液体が所望とされる場合が挙げられる。
【００７３】
液体の取り換え又は連続的な交換は、支持体４０２又はシェル４４における第１の開口部を介して新しい（通常は液状又は懸濁液状の）物質が供給され、該物質は、内部空間内の物質を押しのけ、そのように押しのけられた物質は、第２の開口部を介して流出可能である。適切なポンプを第１の開口部の供給ダクト内及び／又は第２の開口部の流出ダクト内に設けることが可能である。
【００７４】
本発明によるカートリッジ装置ないしステレオリソグラフィ装置の上記の実施形態は、更に適用に応じ、以下の視点と更なる構成を含むことができる。
【００７５】
カートリッジ装置は、感光性物質を直接的に又は間接的に含むことが可能であり、一部材式で構成されるか又は複数のコンポーネントから組み立てられている。シェルは、３次元的（立体的）に形成されて、好ましくは一部材式であり得て、この際、シェルの変形可能な部分は、好ましくは側方で周回する外殻部であるが、柔軟な（曲げやすく）又は折り畳み可能（しわ寄せ可能）な材料から構成することが可能である。シェルの底部は、少なくとも部分的に光透過性且つガス透過性であり得て、そのために適切な材料、例えばシリコーンから、又はシリコーン層、ガラス層、及び／又はプラスチック層を含む、例えばサンドイッチ状の構造をもつ複数層の材料結合体から製造されていることが可能である。ステレオリソグラフィ装置には、感光性物質を選択的に露光するために、好ましくは制御可能に可動で移動可能な光源が設けられ、また少なくとも１つの対象物支持体（支持体受容部又は手短に支持体とも称される）が設けられており、対象物支持体は、カートリッジ装置の内部又は外部に配設されており、場合によりカートリッジの底部に対して相対運動可能である。
【００７６】
他の一バリエーションにおいて、カートリッジの外殻部は、フィルムチューブ（例えばＦＥＰフィルム又はＰＴＦＥフィルム）から構成されていることが可能であり、それに対してカートリッジの底部と、カートリッジの閉鎖上部とは、適切なプラスチック及び／又は適切な複数層の複合材料から成る簡単な射出成形部材である。この実施バリエーションのコストは、シリコーン射出成形の実施形よりも明らかに少なく、更にフィルムは、比較的薄く、比較的簡単に変形可能であろう。
【００７７】
感光性物質は、カートリッジ内でその中に構成された１つ（又は複数）の受容空間内にあり、感光性物質は、例えばカートリッジを装置内へ挿入する以前に該受容空間内へ充填されており、又は感光性物質は、カートリッジ内へ挿入される１つ又は複数の容器内に供給され、例えば、カートリッジ本体の内部、支持体（対象物支持体）の内部、ないしシェル自体の内部にそのために設けられた受容空間内に供給されることが可能である。更に同時に閉鎖部材として機能することのできる支持体は、一部材式で又は複数の部材から構成されていることが可能であり、少なくとも１つの幾何学形状的な穴部を有することが可能であり、該穴部へ感光性物質又はそのための容器が受容可能である。この穴部は、特殊に形成された表面又は構造部を有することが可能であり、又はこの穴部内には、特殊に形成された表面又は構造部を有するコンポーネントを挿入することが可能であり、この際、この表面ないし構造部は、他の物体に対して穴開け作用をもたらすことが可能である。従って支持体ないし穴部は、少なくとも１つの感光性物質を受容及び／又は保管し、直接的に又は間接的に所定の容器内に含むことができる。
【００７８】
このことは、複雑な補充及び配量装置、並びに支持体の複雑な洗浄装置を不要とする。極めて優れた利点は、本発明によるカートリッジシステム（カートリッジ装置）において、ステレオリソグラフィ装置への簡単で汚染のない取り付けと、ステレオリソグラフィ装置からの簡単で汚染のない取り外しにより得られる。この際、例えば様々な感光性物質を含んだ異なるカートリッジの間で、長い洗浄時間と装備時間を伴うことなく迅速に交換を行うことができる。それにより例えば、装置内で、既に開始された構成化プロセス中に、装置の活用性を向上させるために第２のカートリッジを作動させることも可能である。更にカートリッジの内部の既知の物質量に基づき、要求に応じ、正確に確定された数だけ、ないし正確に確定された対象物容積だけが生成されることが可能である。従って感光性物質の持続性は、本発明によるカートリッジシステムを用いて正確に確定可能であり、それにより例えば所望の生体適合性（バイオコンパティビリティ）のような、硬化された状態における期待すべき対象物特性及び材料特性を規定することもできる。本発明によるカートリッジシステムは、支持体上に構成された対象物を含めて装置から簡単に取り外すことができ、その後、当該カートリッジシステムを受容し、場合により適切な箇所においてカートリッジ自体の開口部を介し又は穴開けにより、洗浄剤、例えばイソプロパノールのような溶剤を流入及び／又は流出するように設計された所定の後処理装置（例えば洗浄及び／又は後露光のため）へ提供されることが可能である。
【００７９】
更に、同一の及び／又は異なる、そのために設けられたないし適切な開口部を介し、カートリッジの部材内へ特殊な雰囲気を導入することが可能である。従ってカートリッジ内で支持体上に洗浄された対象物を有する、洗浄された又は部分的に洗浄されたカートリッジを、保護ガスで満たされた鐘状部材として用いることができる。好ましくは、シェルは、少なくとも部分的に光透過性であり、特に好ましくは、カートリッジのシェル並びに底部は、光透過性であり、同じ可撓な材料、例えばシリコーン樹脂から製造されている。多くの有利な実施形態は、カートリッジのシェル並びに底部が、一部材式で、例えばシリコーン樹脂のような、特に好ましくはリキッドシリコーンラバー（ＬＳＲ）材料のような、光透過性で可撓であり化学的に安定した、酸素透過性の材料から構成されることにより傑出しており、この際、閉鎖部材、並びに、例えば、支持体、及び／又は、１つ又は複数のピストン、及び／又は、感光性物質で満たされた１つ又は複数のカプセルのような可能な他の部材、又はその一部は、光非透過性の材料から構成されることが可能である。支持体は、少なくとも１つの幾何学形状的な穴部を有し、該穴部を介し、感光性物質は、ピストンを通って又はピストンを通り過ぎて、重力に基づき又は支持体により加えられる圧力を用いて、露光のために設けられたカートリッジの領域へ、ないしカートリッジ底部へ進入することができる。
【００８０】
本発明は、閉鎖部材内、ないし閉鎖部材内に構造的に形成された中空空間内における感光性物質の別個（単独）の貯蔵可能性を可能とするので、カートリッジの比較的敏感な領域へ物質が流れ出ることないし拡散することを構造的に排除することができる。この際、感光性物質が、追加的に、例えば袋状の容器内、又は、好ましくは支持体内にあり又は支持体内へ取り込むことのできる特殊に構成された容器物体内に閉じ込められていると有利である。閉鎖部材、より正確に述べると、例えば支持体の背面側のような閉鎖部材の部分は、構造的に及び／又は表面の性質に基づき、感光性物質の容器（例えば袋部材）を穴開けし、それにより感光性物質を解放するように構成されている。他の有利な一実施形態では、感光性物質で充填された使い捨てカプセルが、支持体の特殊に形成された部分により刺されることが可能であり、それにより感光性物質が解放（流出）される。
【００８１】
カートリッジシステムは、一回だけ使用可能とすることができ、又は複数回使用可能であるように設計されていることも可能である。従ってカートリッジシステムは、使い捨てシステムとして設計されているか又は再充填可能に構成されていることが可能である。
【００８２】
設計に応じ、本発明によるカートリッジ装置は、感光性物質の量が例えばカプセルの充填により正確に知られているので、混合ガスのより簡単でより正確な測定、より少ないガス量、ガスの容積流のより正確な設計を可能とし、また感光性物質のより確実でより簡単な取り扱い、より確実でより安定したプロセス、並びに汚染の防止を可能とする。更に本発明は、全体的に又は部分的に気密な装置の構成を不要とし、それは、ガスがカートリッジへと閉じ込められ得るためである。
【００８３】
更に有利な一構成において、カートリッジのシェルは、二重の底部を有し、該底部は、一部材式で又は複数部材式で構成されていることが可能である。この際、シェルを（例えば下方に向かって）閉じており、基準面及び最も簡単な場合にはカートリッジシステムの底部も構成する部分は、可撓でない又は部分的にのみ可撓な、複数層で構成された底部から構成されることが可能であり、該底部は、放射線に対して透過性であり、特殊なガスないし混合ガスに対して透過性（浸透性）をもって構成されている。カートリッジシェルの下側には、同様にガスに対して透過性である保護要素を設けることが可能である。
【００８４】
記述の底部面とシェルの間の結合は、該結合が気密であるように構成されていることが可能である。この際、シェル自体は、特殊なパッドのような密封要素を有することが可能である。カートリッジのシェルは、他の有利な一実施バリエーションにおいて、本発明による装置へ取り付けることにより初めて、シェルに対して二重の底部が構成されるように構成されていることが可能であり、この際、移行部は、全体的に又は部分的にガスに対して気密に構成されている。カートリッジ装置は、更にそれ自体も、例えばパイプのような、装置内の気密な外殻構造内で保管されることが可能である。それにより幾何学的に任意に形状構成された中空空間が得られ、該中空空間は、適用の要件と可能性に応じ、少なくとも１つの入口開口部、及び／又は少なくとも１つの出口開口部を有することが可能であり、該開口部を介し、特殊なガス又は混合ガスを導入することが可能であり、又は既に導入されている。この際、カートリッジシステムのシェルの第１の底部は、部分的に又は全体的にガス又は混合ガスに対して透過性（浸透性）である少なくとも１つの材料から成り、好ましくは、シリコーン樹脂、又は、シリコーン樹脂及び／又は透過性材料（例えばＰＴＦＥ又はガラス）を有する組み合わせ材料から構成されている。シェルの閉じる部分は、既述したように同様にガスに対して透過性の微孔質ガラスから構成可能である。従って下方から直接的に又は間接的にガス又は混合ガスをカートリッジの内側の容積部内へ供給する及び／又は該容積部から排出することができる。更なる一構成において、カートリッジシステムは、ガスの容積流又は混合ガスの配分をプロセス時間にわたって制御するために、ガス又は混合ガスの拡散を時間的に分解して測定可能であるセンサ又は測定要素を有する。この際、センサは、既にカートリッジ内に、例えば支持体内に設けられていることが可能である。例えばセンサは、カートリッジシステムの取り付けの際に挿入され、場合によりカートリッジのロックないし中心合わせ手順により、カートリッジにおける予めシールされた特殊な開口部により、又はカートリッジの穴開けにより位置決めされることが可能である。この際、センサが感光性樹脂と接触しないようにセンサのポジションが選択されていると好ましく、又はセンサは、汚染物が測定に狂いを生じさせず、測定の不確実性を高めないように設計されている。この際、カートリッジの内部の雰囲気の測定法は、直接的な又は間接的な方法により行うことができる。センサ又は測定要素がカートリッジないしシェルの外部に配設されており、カートリッジの内部の組成ないしガス濃度の測定を可能とする測定法は、特に有利であり得て、また特別な領域におけるガス濃度の推定を可能とするために、シェル自体の透過性（浸透性）を利用することもできる。
【００８５】
本発明の更なる構成において、カートリッジの内部には、様々なガス又は混合ガスを提供することができる。例えば下方からカートリッジの底部を通し、通常の雰囲気よりも高い濃度の酸素を供給し、上方から支持体を通って窒素を供給することが可能であり、それにより目標を定めて感光性樹脂の特性ないしそのプロセス過程、そして最後には構成される物体の最終特性に作用を及ぼすことができる。
【００８６】
勿論、当業者は、ここで開示された発明の実施形態（ないし実施例）について、多岐にわたる変形や追加を、これらが添付の請求項の保護範囲内にあるのであれば、問題なく行うことができる。
【符号の説明】
【００８７】
（図１）
１            ステレオリソグラフィ装置
２            ３次元対象物
３            感光性物質
４            受容空間
５            カートリッジ装置
６            カートリッジ装置
７            支持装置
７４          固定要素
７５          サポート装置
７６          サポート装置
７７          ベースプレート
８            光源
８１          リニア駆動部
８２          リニア駆動部
９            制御装置
（図２、図２ａ）
１０          カートリッジシステム
１１          閉鎖部材（カートリッジ閉鎖部材）
１４          シェル
１５          追加的な底部
１６          ロック部材
１７          カートリッジ補強部材
（図３〜図６）
１０１        カプセル
１０２        支持体
１０４        弱化された領域
１０５        突出部（突出形状部）
１０６        保持手段
１０７        カプセル閉鎖要素
１０８        載置面
１０９        開口部
１１０        下面部
Ｈ０１        感光性物質の初期充填レベル
ｈ            感光性物質の流出後のレベル
（図７〜図９）
２００        閉鎖部材（カートリッジ閉鎖部材）
２０１        蓋部材
２０２        支持体
２０３        流出する感光性物質
２０７        開口部
２０８        栓部材
２０９        開口部
２１０        密閉結合部
（図１０〜図１３）
３００        閉鎖部材（カートリッジ閉鎖部材）
３０１        ピストン
３０２        支持体
３０５        穴開け要素
３０９        開口部
３１１        ノーズ（突出部）
３１２        袋状の容器（袋状部材）
３１２’      穴開けされた袋状部材
３１３        案内溝
ｈ１          ピストンポジション（初期位置）
ｈ２          ピストンポジション（最終位置）
Ｆ            外部からの力
（図１４ａ〜図１４ｄ）
１４０        内部空間
１４１        シェル
１４２        シェル
１４３        シェル
１４４        シェル
１４５        追加的な構成部材
１４６        幾何学形状部
（図１５）
５００        閉鎖部材（カートリッジ閉鎖部材）
５０１        蓋部材
５０２        情報支持体（ＲＦＩＤチップ）
５０３        情報支持体（バーコード）
（図１６ａ〜図１６ｄ）
１            ステレオリソグラフィ装置
２            ３次元対象物
３            感光性物質
４            受容空間
８            光源
１０          カートリッジシステム
１１          閉鎖部材
１１１        カプセル
１４          シェル
１４０        内部空間
４１          基準面（基準平面）
８０          放射線（作用光線）
Ｂ１〜Ｂｎ    ３次元対象物の層
Ａ１          閉鎖部材の高さ（初期位置）
Ａ２          閉鎖部材の高さ（低下位置）
Ａ３          閉鎖部材の高さ（最終位置）
（図１７）
１９          流体
２０          カートリッジシステム
２１          閉鎖部材（カートリッジ閉鎖部材）
２２          中空空間
２３          下面部
２４          シェル
２４０        内部空間
２５          ガラス底部
３３          非反応相
４２          基準面
ｐ０          周囲圧力
ｐ１          内部空間内の圧力
Ｖ            容積流量（Ｖはブイドット表記）
（図１８）
１８          開口部
３０          カートリッジシステム
３１          弾性フィルム
３２          支持部材
３４          シェル
３４０        内部空間
３４１        区画
３４２        区画
３４３        区画
３４４        底部
３５          構成部材結合体
（図１９ａ、図１９ｂ）
２            ３次元対象物
３            感光性物質
１３          溶液又は混合液
４０          カートリッジシステム
４００        閉鎖部材（カートリッジ閉鎖部材）
４０１        カプセル
４０２        支持体
４０３        カプセル閉鎖部材
４０４        新しいカプセル
４３          溶剤
４４          シェル
４４０        内部空間
【図１】
0006987947.tif 000002
【図２】
0006987947.tif 000003
【図２ａ】
0006987947.tif 000004
【図３】
0006987947.tif 000005
【図４】
0006987947.tif 000006
【図５】
0006987947.tif 000007
【図６】
0006987947.tif 000008
【図７】
0006987947.tif 000009
【図８】
0006987947.tif 000010
【図９】
0006987947.tif 000011
【図１０】
0006987947.tif 000012
【図１１】
0006987947.tif 000013
【図１２】
0006987947.tif 000014
【図１３】
0006987947.tif 000015
【図１４ａ】
0006987947.tif 000016
【図１４ｂ】
0006987947.tif 000017
【図１４ｃ】
0006987947.tif 000018
【図１４ｄ】
0006987947.tif 000019
【図１５】
0006987947.tif 000020
【図１６ａ】
0006987947.tif 000021
【図１６ｂ】
0006987947.tif 000022
【図１６ｃ】
0006987947.tif 000023
【図１６ｄ】
0006987947.tif 000024
【図１７】
0006987947.tif 000025
【図１８】
0006987947.tif 000026
【図１９ａ−１９ｂ】
0006987947.tif 000027